(57)【特許請求の範囲】
【請求項１】
賞球用として貯留している遊技球を底部に開口された流出口から流出させる賞球タンクを備え、遊技盤面に発射された遊技球が入賞口に入賞したことまたは前記遊技盤面に発射された遊技球の入球によって所定の組み合わせが成立したことにより前記賞球タンクから流出した遊技球を賞球として払出す弾球遊技機において、
該弾球遊技機の上下方向に沿った軸を中心として前記賞球タンクが前記遊技機の本体側に接触ないし接近する通常位置と該賞球タンクが前記本体側から離脱する離脱位置とに揺動可能に、前記賞球タンクと前記本体側とを連結する連結手段と、
前記賞球タンクを前記通常位置に拘束する拘束状態と該賞球タンクの前記揺動を許す解放状態とに切り替えられる拘束手段と、
前記流出口を開閉する開閉手段とを設け、
前記開閉手段にて前記流出口を閉鎖してから前記賞球タンクを前記離脱位置に変位させることで、該離脱位置に変位したときに遊技球が前記流出口から落下するのを防止可能とした
ことを特徴とする弾球遊技機。
【請求項２】
請求項１記載の弾球遊技機において、
前記開閉手段は、前記賞球タンクの底部に設けられたガイドに沿って水平方向に移動して前記流出口を開閉するシャッターである
ことを特徴とする弾球遊技機。
【請求項３】
請求項１または２記載の弾球遊技機において、
前記賞球タンク側に取り付けられる可動側軸受け部と、
前記本体側に取り付けられる固定側軸受け部と、
前記可動側軸受け部および固定側軸受け部に共通に挿通され前記賞球タンクの揺動の軸となる軸部材と
を備えるヒンジ機構を
前記連結手段として設けたことを特徴とする弾球遊技機。
【請求項４】
請求項１ないし３のいずれか記載の弾球遊技機において、
前記拘束手段を構成する要素として、
前記賞球タンクに固着される保持板と、
軸方向を前記保持板に直交させて該保持板に取り付けられる管状部材であって、前記保持板の表裏両側で開口し前記軸部を前後進可能に挿通させる内孔と、
前記保持板から突出し前記内孔側から押圧されると拡大変形し該押圧を解除されると縮小変形する弾性変形部とを有する管状部材と、
前記内孔に前後進可能に挿通される軸部の先端に形成された頭部と該軸部の後端側に設けられて前記内孔の外に配される摘み部とを有し、前進時には前記頭部で前記弾性変形部を押圧して前記拡大変形させ後退時には前記押圧を解除する操作用軸体と、
前記本体側に配されて前記拡大変形していない前記弾性変形部が出入り自在で進入後に前記拡大変形した前記弾性変形部を離脱させない受孔部と
を備えたことを特徴とする弾球遊技機。
【発明の詳細な説明】
【０００１】
【発明の属する技術分野】
本発明はパチンコ機等の遊技機に設置される賞品球の賞球タンク構造に関す。
【０００２】
【従来の技術】
従来、遊技機に代表されるパチンコ機の遊技球補給は、遊技機設置島の内部に設けた遊技球補給設備により遊技球の補給を行って、補給方法は補給樋より蛇腹で補給数をカウントしながら定量を制御する装置を通して遊技機の上部にある賞球タンクに補給をしている。
遊技が開始され発射された遊技球は、入賞口に入賞すれば遊技球が賞品球としてパチンコ機前面に設けた上皿に放出されるが、これは遊技機の裏側に設けた機構盤の上部に設けてある賞球タンクから賞球放出制御システムを経て放出されるものであって、異物等が混入した時はこの賞球放出システムの前段階のタンクレールで遊技球は停止してしまう。
タンクレールで遊技球の流れが停止したときは、賞球タンクの遊技球を取り除いて賞球タンクを外してから異物を除去していた。
【０００３】
図７でその説明を加えれば、パチンコ機９０のタンクレール９１と賞球タンク９２が遊技球のこぼれを防止するタンクレールカバー９５が設けてあり、タンクレール９１の中に異物が玉流れを遮ったときは、賞球タンク９２の内部に貯留している遊技球を針金などで遊技球を流しながら、取付ビス９３ａ〜９３ｂを取り外してからこの異物を取り除いていた。
【０００４】
【発明が解決しようとする課題】
上述のように異物の大方は、遊技機より脱落したビス、パチンコ機の設置に伴う設置台やパチンコ機の木枠等の木片である。これらは球面が無いので一巡するまでには時間もかかりややもすると一週間も後で発見されることもある。
異物がパチンコ機に入り込むと必ず玉詰まりとなって、その影響がでてきて遊技動作の停止となって遊技客から呼び出しを受ける。この異物の除去は手間がかかり賞球タンクの内部であれば問題はないが、タンクレールの中になると簡単には除去ができない。賞球タンクの下にあってなお玉こぼれを防止するための隔壁が設けて有るのと、タンクレールには微細な塵の除去のための簀の子状の溝が設けてあってこの溝の隙間に長手の異物が刺さって抜けなくなる。
仮に賞球タンクを取り外せば簡単に異物の除去ができるが、賞球タンク自体は機構盤にビスで固定されているので営業中にドライバー等の工具を使用することは遊技客には不快感を与えるのでこのような修理等は困難である。
特開平６−４７１５３に開示される構造は、遊技機の稼働中で有れば賞球タンク内には遊技球が保有している、タンクレールに異物が入り込んでその異物を除去するときはタンク内の遊技球をすべて取り除かないと賞球タンクを外せない。
このような欠点の解消を目的として次のように解決をすることができる。
【０００５】
【課題を解決するための手段】
請求項１記載の弾球遊技機は、賞球用として貯留している遊技球を底部に開口された流出口から流出させる賞球タンクを備え、遊技盤面に発射された遊技球が入賞口に入賞したことまたは前記遊技盤面に発射された遊技球の入球によって所定の組み合わせが成立したことにより前記賞球タンクから流出した遊技球を賞球として払出す弾球遊技機において、
該弾球遊技機の上下方向に沿った軸を中心として前記賞球タンクが前記遊技機の本体側に接触ないし接近する通常位置と該賞球タンクが前記本体側から離脱する離脱位置とに揺動可能に、前記賞球タンクと前記本体側とを連結する連結手段と、
前記賞球タンクを前記通常位置に拘束する拘束状態と該賞球タンクの前記揺動を許す解放状態とに切り替えられる拘束手段と、
前記流出口を開閉する開閉手段とを設け、
前記開閉手段にて前記流出口を閉鎖してから前記賞球タンクを前記離脱位置に変位させることで、該離脱位置に変位したときに遊技球が前記流出口から落下するのを防止可能としたことを特徴とする。
【０００６】
請求項２に示すように、前記賞球タンクの底部に設けられたガイドに沿って水平方向に移動して前記流出口を開閉するシャッターを開閉手段にできる。
請求項３に示すように、 請求項１または２記載の弾球遊技機において、前記賞球タンク側に取り付けられる可動側軸受け部と、前記本体側に取り付けられる固定側軸受け部と、前記可動側軸受け部および固定側軸受け部に共通に挿通され前記賞球タンクの揺動の軸となる軸部材とを備えるヒンジ機構を前記連結手段として設けるとよい。例えば賞球タンクには左後方に１側ヒンジ機構を設け一方前記機構盤にも２側ヒンジ機構を設け前記１側ヒンジ機構と前記２側ヒンジ機構とに垂直軸を挿入し、前記賞球タンクを係止し、該賞球タンクは前記垂直軸でリンク回動可能にして任意に賞球タンクを移動させることができる。
【０００７】
請求項４に示すように、請求項１ないし３のいずれか記載の弾球遊技機において、前記拘束手段を構成する要素として、前記賞球タンクに固着される保持板と、軸方向を前記保持板に直交させて該保持板に取り付けられる管状部材であって、前記保持板の表裏両側で開口し前記軸部を前後進可能に挿通させる内孔と、前記保持板から突出し前記内孔側から押圧されると拡大変形し該押圧を解除されると縮小変形する弾性変形部とを有する管状部材と、前記内孔に前後進可能に挿通される軸部の先端に形成された頭部と該軸部の後端側に設けられて前記内孔の外に配される摘み部とを有し、前進時には前記頭部で前記弾性変形部を押圧して前記拡大変形させ後退時には前記押圧を解除する操作用軸体と、前記本体側に配されて前記拡大変形していない前記弾性変形部が出入り自在で進入後に前記拡大変形した前記弾性変形部を離脱させない受孔部とを備えるとよい。
【０００８】
【発明の実施の形態】
次に本考案の実施の形態をより一層明確にするため、本考案を適用した遊技機の施錠装置を一実施例について図面を参照して説明する。
なお、以下に説明をする実施例は、本考案の実施の一形態に過ぎず、本考案の実施の形態を、以下に例示する具体的な形状等に制限するものではない。
【０００９】
【実施例】
図１に示すように遊技機１１は、箱状の外枠１２を備えている。この外枠１２は、遊技機１１の各部を支持すると共に、図示しない遊技機設置島に設置するための部材でもある。外枠１２の正面左の上下に一対のヒンジ１３が設けてあり、前枠１４は、これらのヒンジ１３を支軸にして外枠１２に対して開閉自在に装着されている。
外枠１２の右側の内側壁面には一対の前枠１４の図示しない係止金具が設けてあり、一方前枠１４の右辺裏側に図示しないスライド錠があり、係止金具とで前枠１４を施錠している。前枠１４を図示しない鍵で開錠操作をすればスライド錠から係止金具がはずれて前枠１４が開放できる。
入賞があると後述する遊技球が賞品球として上皿１５に放出される。
【００１０】
図２は本発明を装備した遊技機１１の裏概要図である。
前枠１４には、遊技盤１０がはめられ、発射された遊技球は遊技盤１０に設けた図示しない入賞口に入賞する事で賞球タンク１７に保有している遊技球を賞品球として放出する。
前枠１４の裏には機構盤１６がはめられており、その機構盤１６には上部に賞球タンク１７が付けらている。
機構盤１６には、賞球放出装置１９が設けられている。
賞球タンク１７の下側には、タンクレール１８が付けられ更に、タンクレール１８の流下位置にカーブレール２０が付けられている。これにより賞球タンク１７の内部の遊技球は、このタンクレール１８を伝ってラッパ状の入口が付いたカーブレール２０を経て賞球放出装置１９に流れ込む。
カーブレール２０には、玉抜装置２１が付けられこの玉抜装置２１を作動させると賞球タンク１７とタンクレール１８に貯留する遊技球が、玉排出口２６より排出されると共に、遊技に際して発射された遊技球も入賞に係わらずこの玉排出口２６より排出される。
タンクレール１８の上部には、玉ならし２２が付けられカーブレール２０の入り口で遊技球が噛み込むのを防止している。
機構盤１６の賞球タンク１７左側部には、上タンクヒンジ２３ａ、と下タンクヒンジ２３ｂが設けてあり、縦に穴があけられている。
賞球タンク１７の左辺には、左タンクヒンジ２４が設けられ中央に穴があけられている。
上タンクヒンジ２３ａ、と下タンクヒンジ２３ｂ及び左タンクヒンジ２４と共に穴に傘付きのシャフト２７が通してある。
賞球タンク１７は、常時において機構盤１６と平行に付けられシャフト２７を軸として回動可能である。
賞球タンク１７の右側には、図４に示すように右タンクリブ２５が設けられ雄固定具３６が穿設されている。
【００１１】
図３本発明の賞球タンク１７の展開構造図であり、その動作の説明は図４も参照する。
賞球タンク１７の左辺には右タンクリブ２５が設けられその右タンクリブ２５には穴が開けられその穴に雄固定具３６が設けられている。
雄固定具３６に対抗して機構盤１６には、右タンクリブ２５に対抗した位置に穴が開けられ雌固定具３７がはめられている。
常時、雄固定具３６と雌固定具３７とによって賞球タンク１７の右辺は係止されている。雄固定具３６には、つまみ３８が付けられそのつまみ３８を矢印Ｕ方向に引き出せば賞球タンク１７の右側が外れる。
賞球タンク１７を固定するときは、賞球タンク１７を機構盤１６側に押して賞球タンク１７の雄固定具３６についているつまみ３８を矢印ＲＤ方向に押し込めば賞球タンク１７は機構盤１６に定着する。
賞球タンク１７左辺には、左タンクヒンジ２４が設けられ図３の（ｂ）に示すように縦軸に穴が開けられている。
機構盤１６の賞球タンク１７と接する左辺には、上タンクヒンジ２３ａと下タンクヒンジ２３ｂとが設けられ上下共に縦軸方向に穴が開けられている。
賞球タンク１７は上タンクヒンジ２３ａと下タンクヒンジ２３ｂの間に左タンクヒンジ２４を中央の穴を合わせて図３の（ｃ）に示すようにシャフト２７を矢印ＩＮ方向に貫通させている。
これにより賞球タンク１７は、つまみ３８を矢印Ｕ方向に引き出せば図３の（ａ）のように矢印ＯＰ方向にシャフト２７を支点にして回転移動できる。
賞球タンク１７の固定は、図３の（ａ）の矢印ＣＳ方向に回して前述のようにつまみ３８を押し込むのみである。
【００１２】
図３の（ｃ）に示すように賞球タンク１７の底面には、シャッター２８が設けられそのシャッター２８は図３の（ｃ）に示すようにガイド３３に沿って矢印Ｌ方向とＲ方向に移動可能であり、遊技機１１の稼働中はＲの方向にある。
賞球タンク１７に遊技球があれば、シャッター２８を矢印Ｌ方向に移動させることで賞球タンク１７を開放するときに遊技球の散らばりを防止できる。
【００１３】
図３の（ｂ）は賞球タンク１７の底面図である。
図５において雄固定具３６と雌固定具３７の関係説明をする。
機構盤１６側には雌固定具３７が付けてあってその入り口は段差Ａ４１が設けてある。
右タンクリブ２５には雌固定具３７が付けてあり保持管４０の穴につまみ３８が挿入されている。
つまみ３８の先端はコブ４３が形成されており保持管４０の奥は狭角４４に形成され、コブ４３が矢印Ｄ方向に押し込まれると狭角４４が開いて雌固定具３７の段差Ａに係止される。
保持管４０の入り口は、段差Ｂ４２が設けてあり、つまみ心棒４５にも段差Ｃ４６が設けてありこの段差Ｃ４６が段差Ｂ４２でつまみ心棒４５が抜け落ちないようにはめこまれている。
なお、雌固定具３７は機構盤１６に雌固定具３７を付けた状態の段差Ａ４１と同様に形成すれば雌固定具を省いてもよい。
【００１４】
図５の（ａ）は係止した状態を示して、（ｂ）は係止する寸前を示したものである。
図６は、タンクレール１８に異物２９が溝３２にはまりこんで遊技球が団子状に流れが停止した状態を示したものであり、（ａ）は側面図（ｂ）は平面図である。
賞球タンク１７の上部は開放で受け口的存在であり、図５に示すように遊技機設置島内部で飛び散る異物２９を容易に受け賞球タンク１７内に貯留し、賞球放出で遊技球と共にタンクレール１８へと流れ出してタンクレール１８の溝３２にはまりこんで遊技球の流れを止めてしまう。遊技中であれば遊技客は呼び出しボタンで店員を呼びだして、呼び出された店員は、止まった玉流れの修理をしなければならない。このとき図示しない遊技が大当たり中であれば一回のゲームが３０秒であるのでこの処置をしなければならない、図示しない補給樋に問題があれば即座に対応できるが、図６（ｂ）に示すのようタンクレール１８に異物２９が溝３２に刺さっている状態を示している。この場合において本発明は、シャッター２８を閉じて玉抜装置２１を作動させてタンクレール１８に保有している遊技球を流し出し、雄固定具３６を引き出せば容易に賞球タンク１７を移動できるので異物を簡単に取り除くことができる。
【００１５】
このようなトラブル発生時はゲームの継続をしなければならないので電源を切ることは当然ながらできなく、図示しない遊技機の３０秒毎にＶゾーンに遊技球を入れなければ継続できない。このように図示しない大当たり中に入賞球が少なくなると全体の賞品球の不足となってくる。
トラブルをいかに早く対処できるかで遊技客の満足度を得ることが遊技店においては売上に大きく影響を及ぼすので必須条件としている。
【００１６】
本発明を採用することで店員と遊技客とのトラブルの解消に役立つものである。
本発明において、要旨を逸脱しない限り種々の実施が可能である。たとえば賞球タンクの回転方向を右開きにする場合も考えられるし、上方に伸縮自在とする方法等が考えられる。利用に関しては遊技球を使用する遊技機全般に利用できるものである。
【図面の簡単な説明】
【図１】  遊技機の正面斜視図である。
【図２】  遊技機の裏概要斜視図である。
【図３】  賞球タンクの展開構造図である。
【図４】  賞球タンクを開状態にした破断図である。
【図５】  固定具の作用状態を示す断面図である。
【図６】  タンクレールに異物が刺さって遊技球の流れが停止した状況を示す図である。
【図７】  本発明を採用していない従来のパチンコ機の背面図である。
【符号の説明】
１０…遊技盤、１１…遊技機、１２…外枠、１３…ヒンジ、
１４…前枠、１５…上皿、１６…機構盤、１７…賞球タンク、
１８…タンクレール、１９…賞球放出装置、２０…カーブレール、
２１…玉抜装置、２３ａ…上タンクヒンジ、
２３ｂ…下タンクヒンジ、２４…左タンクヒンジ、
２５…右タンクリブ、２６…玉排出口、２７…シャフト、
２８…シャッター、２９…異物、３２…溝、３３…ガイド、
３６…雄固定具、３７…雌固定具、４０…保持管、４１…段差Ａ、
４２…段差Ｂ、４３…コブ、４４…狭角、４５…心棒、
４６…段差Ｃ、９０…パチンコ機、９１…タンクレール。
【図１】
0003829159.tif 000002
【図２】
0003829159.tif 000003
【図３】
0003829159.tif 000004
【図４】
0003829159.tif 000005
【図５】
0003829159.tif 000006
【図６】
0003829159.tif 000007
【図７】
0003829159.tif 000008